(57)【要約】【課題】熱源機から供給される温水を利用して浴室に隣接する脱衣所の暖房を行う脱衣所暖房器の操作システムであって、浴室に設置する熱源機用のリモコンに脱衣所暖房器用の操作スイッチを付設するものにおいて、浴室から出たときにヒートショックを生ずるような状態であるか否かを浴室内で判別できるようにして、浴室内での脱衣所暖房器の適切な操作を可能にする。【解決手段】熱源機用リモコンに脱衣所の室温と浴室の室温との温度差ΔＴを表示する(Ｓ３)。また、脱衣所暖房器の運転中は、ΔＴが所定範囲に入っているときにその旨を報知すると共に(Ｓ４，Ｓ８)、ΔＴが所定範囲の上限温度Ｔｓ１より高いときにその旨を報知し(Ｓ５，Ｓ９)、運転停止中は、ΔＴが所定範囲に入っているときにその旨を報知すると共に(Ｓ６，Ｓ８)、ΔＴが所定範囲の下限温度Ｔｓ２より低いときにその旨を報知する(Ｓ７，Ｓ１０)。【選択図】図３
2006275341.tif 000002
【特許請求の範囲】
【請求項１】
熱源機から供給される温水を利用して浴室に隣接する脱衣所の暖房を行う脱衣所暖房器の操作システムであって、浴室に設置する熱源機用のリモコンに、脱衣所暖房器を運転及び停止させる脱衣所暖房器用の操作スイッチを付設するものにおいて、
脱衣所の室温を検出する脱衣所温度センサと、浴室の室温を検出する浴室温度センサとを備え、
前記リモコンに、脱衣所温度センサで検出された脱衣所の室温と浴室温度センサで検出された浴室の室温との温度差を表示する表示手段が設けられていることを特徴とする脱衣所暖房器の操作システム。
【請求項２】
熱源機から供給される温水を利用して浴室に隣接する脱衣所の暖房を行う脱衣所暖房器の操作システムであって、浴室に設置する熱源機用のリモコンに、脱衣所暖房器を運転及び停止させる脱衣所暖房器用の操作スイッチを付設するものにおいて、
脱衣所の室温を検出する脱衣所温度センサと、浴室の室温を検出する浴室温度センサとを備え、
前記リモコンに、所定の報知条件が成立したときにその旨を報知する報知手段が設けられており、
報知条件は、脱衣所温度センサで検出された脱衣所の室温をＴＤ、浴室温度センサで検出された浴室の室温をＴＹとして、ＴＤ−ＴＹが所定範囲内という第１の条件と、ＴＤ−ＴＹが所定範囲の上限温度より高いという第２の条件と、ＴＤ−ＴＹが所定範囲の下限温度より低いという第３の条件のうちの少なくとも１つであることを特徴とする脱衣所暖房器の操作システム。
【請求項３】
前記リモコンに、前記脱衣所暖房器の運転中は前記報知条件を前記第１の条件と前記第２の条件との少なくとも一方に切換え、脱衣所暖房器の運転停止中は報知条件を前記第１の条件と前記第３の条件との少なくとも一方に切換える切換手段が設けられていることを特徴とする請求項２記載の脱衣所暖房器の操作システム。
【請求項４】
熱源機から供給される温水を利用して浴室に隣接する脱衣所の暖房を行う脱衣所暖房器の操作システムであって、浴室に設置する熱源機用のリモコンに、脱衣所暖房器を運転及び停止させる脱衣所暖房器用の操作スイッチを付設するものにおいて、
脱衣所の室温を検出する脱衣所温度センサと、浴室の室温を検出する浴室温度センサとを備えると共に、
前記操作スイッチの操作で脱衣所暖房器の運転が指示されたときに作動する制御手段を備え、この制御手段は、脱衣所温度センサで検出された脱衣所の室温をＴＤ、浴室温度センサで検出された浴室の室温をＴＹとして、ＴＤ−ＴＹが所定範囲の下限温度より低いという条件が成立したときに脱衣所暖房器の運転を開始させ、ＴＤ−ＴＹが所定範囲の上限温度より高いという条件が成立したときに脱衣所暖房器の運転を停止させるように構成されていることを特徴とする脱衣所暖房器の操作システム。
【発明の詳細な説明】
【技術分野】
【０００１】
本発明は、熱源機から供給される温水を利用して浴室に隣接する脱衣所の暖房を行う脱衣所暖房器の操作システムに関する。
【背景技術】
【０００２】
従来、浴室と脱衣所とに夫々空調ユニットを配置する場合に、浴室と脱衣所とに夫々無線式のリモコンを配置し、浴室に配置したリモコンで浴室空調ユニットと脱衣所空調ユニットとの双方を遠隔操作可能にすると共に、脱衣所に配置したリモコンでも浴室空調ユニットと脱衣所空調ユニットとの双方を遠隔操作可能にしたものが知られている(例えば、特許文献１参照)。これによれば、入浴中に浴室から出ることなく脱衣所空調ユニットを操作できるようになり、便利である。但し、浴室に配置するリモコンは防水構造にする必要があり、コストが高くなる。尚、本明細書において「脱衣所」とは、洗面所を兼用するものも含む。
【０００３】
ところで、熱源機から供給される温水を利用して脱衣所の暖房を行う脱衣所暖房器も従来知られている。このものでは、脱衣所に配置した暖房器用リモコンの暖房スイッチをオンしたときに、このリモコンから脱衣所暖房器に内蔵する暖房器用コントローラにケーブルを介して運転指令信号が送信され、暖房器用コントローラから熱源機に内蔵する熱源機用コントローラにケーブルを介して給湯指令信号が送信されて、熱源機から脱衣所暖房器に温水が供給され、脱衣所暖房器の暖房運転が行われるようになっている。
【０００４】
ここで、浴室には、一般に、熱源機用コントローラにケーブルを介して接続される防水構造の熱源機用リモコンが設置されている。そこで、浴室に設置した熱源機用リモコンに脱衣所暖房器用の操作スイッチを付設し、この操作スイッチのオンオフ信号を熱源機用コントローラを経由して脱衣所暖房器用コントローラに送信して、脱衣所暖房器を運転及び停止させることが考えられる。これによれば、脱衣所暖房器専用の防水構造のリモコンを浴室に配置せずに、浴室内で脱衣所暖房器を操作でき、便利である。
【０００５】
尚、入浴前に脱衣所に設置した暖房器用リモコンで脱衣所暖房器の運転を開始させれば、入浴後に浴室から出たときのヒートショックを回避できるが、これでは、脱衣所が入浴中無駄に暖房されることになり、入浴時間が長いと、かなりのエネルギー浪費になる。上記の如く浴室に設置する熱源機用リモコンに脱衣所暖房器用の操作スイッチを設けておけば、入浴者が自己の入浴時間に合わせて適切な時期に脱衣所暖房器の運転を開始させることができ、省エネルギー化を図る上で有利である。
【０００６】
ところで、脱衣所暖房器は脱衣所の室温が設定温度(脱衣時に寒さを感じないように、設定温度は一般的に高く設定される)になるように運転される。一方、浴室から出たときのヒートショック防止のためには、入浴中に体が温まっているため、脱衣所の室温が浴室の室温に近い温度であれば十分であり、脱衣所の室温を設定温度にまで上昇させる必要はない。然し、入浴中は脱衣所の室温を知ることができず、脱衣所を必要以上に暖房してしまうことがあり、省エネルギーの要請に反することになる。
【特許文献１】特開２００４−１７７１０１号公報
【発明の開示】
【発明が解決しようとする課題】
【０００７】
本発明は、以上の点に鑑み、浴室から出たときにヒートショックを生ずるような状態であるか否かを浴室内で判別できるようにして、浴室内での脱衣所暖房器の適切な操作を可能にした脱衣所暖房器の操作システムを提供することをその課題としている。
【課題を解決するための手段】
【０００８】
上記課題を解決するために、本願の第１発明は、熱源機から供給される温水を利用して浴室に隣接する脱衣所の暖房を行う脱衣所暖房器の操作システムであって、浴室に設置する熱源機用のリモコンに、脱衣所暖房器を運転及び停止させる脱衣所暖房器用の操作スイッチを付設するものにおいて、脱衣所の室温を検出する脱衣所温度センサと、浴室の室温を検出する浴室温度センサとを備え、前記リモコンに、脱衣所温度センサで検出された脱衣所の室温と浴室温度センサで検出された浴室の室温との温度差を表示する表示手段が設けられていることを特徴とする。
【０００９】
第１発明によれば、浴室に配置する熱源機用リモコンに脱衣所の室温と浴室の室温との温度差が表示されるため、浴室から出たときにヒートショックを生ずるような状態であるか否かを浴室内で判別できる。そして、熱源機用リモコンに設けた脱衣所暖房器用の操作スイッチを脱衣所の室温と浴室の室温との温度差を参考にして操作することにより、脱衣所を必要以上に暖房して、エネルギーの無駄を生じたり、暖房不足でヒートショックを生じたりするような事態に陥ることを回避できる。
【００１０】
また、本願の第２発明は、上記熱源機用リモコンに、上記表示手段に加えて、または、上記表示手段に代えて、所定の報知条件が成立したときにその旨を報知する報知手段が設けられており、報知条件は、脱衣所温度センサで検出された脱衣所の室温をＴＤ、浴室温度センサで検出された浴室の室温をＴＹとして、ＴＤ−ＴＹが所定範囲内という第１の条件と、ＴＤ−ＴＹが所定範囲の上限温度より高いという第２の条件と、ＴＤ−ＴＹが所定範囲の下限温度より低いという第３の条件のうちの少なくとも１つであることを特徴とする。
【００１１】
ここで、第１の条件は、脱衣所の室温が浴室の室温に近い適温という条件であり、第１の条件が成立したときにその旨を報知することにより、入浴者が安心して浴室から出ることができる。一方、第２の条件は、脱衣所が必要以上に暖房されているという条件であり、第２の条件が成立したときにその旨を報知することにより、脱衣所暖房器の運転停止を促して省エネルギー化を図ることができる。また、第３の条件は、脱衣所が暖房不足であるという条件であり、第３の条件が成立したときにその旨を報知することにより、脱衣所暖房器の運転を促してヒートショックの発生を防止することができる。
【００１２】
ここで、脱衣所暖房器の運転中に特に知りたい情報は、脱衣所の室温が適温であるか否か(第１の条件が成立しているか否か)、または、脱衣所が必要以上に暖房されているか否か(第２の条件が成立しているか否か)であり、脱衣所暖房器の運転停止中に特に知りたい情報は、脱衣所の室温が適温であるか否か(第１の条件が成立しているか否か)、または、脱衣所が暖房不足であるか否か(第３の条件が成立しているか否か)である。従って、熱源機用リモコンに、脱衣所暖房器の運転中は報知条件を第１の条件と第２の条件との少なくとも一方に切換え、脱衣所暖房器の運転停止中は報知条件を第１の条件と第３の条件との少なくとも一方に切換える切換手段を設けておけば、知りたい情報を適切に報知できる。
【００１３】
また、本願の第３発明は、熱源機から供給される温水を利用して浴室に隣接する脱衣所の暖房を行う脱衣所暖房器の操作システムであって、浴室に設置する熱源機用のリモコンに、脱衣所暖房器を運転及び停止させる脱衣所暖房器用の操作スイッチを付設するものにおいて、脱衣所の室温を検出する脱衣所温度センサと、浴室の室温を検出する浴室温度センサとを備えると共に、脱衣所暖房器用の操作スイッチの操作で脱衣所暖房器の運転が指示されたときに作動する制御手段を備え、この制御手段は、脱衣所温度センサで検出された脱衣所の室温をＴＤ、浴室温度センサで検出された浴室の室温をＴＹとして、ＴＤ−ＴＹが所定範囲の下限温度より低いという条件が成立したときに脱衣所暖房器の運転を開始させ、ＴＤ−ＴＹが所定範囲の上限温度より高いという条件が成立したときに脱衣所暖房器の運転を停止させるように構成されていることを特徴とする。
【００１４】
第３発明によれば、浴室内で脱衣所暖房器用の操作スイッチを操作すると、脱衣所の室温と浴室の室温との温度差が所定範囲に収まるように脱衣所暖房器が制御されることになり、脱衣所を必要以上に暖房することなく、浴室から出たときのヒートショックを防止でき、省エネルギー化を図る上で非常に有利である。
【００１５】
尚、後述する実施形態において、上記切換手段に相当するのは図３のＳ３〜Ｓ７のステップであり、上記制御手段に相当するのは図４のＳ１０３〜Ｓ１０６のステップである。
【発明を実施するための最良の形態】
【００１６】
図１を参照して、１は浴槽１ａが配置された浴室、２は浴室１に隣接する脱衣所であり、脱衣所２の暖房を行う脱衣所暖房器３が設けられている。脱衣所暖房器３は、給湯兼暖房用の熱源機４から供給される温水を利用して脱衣所２の暖房を行うように構成されている。即ち、脱衣所暖房器３は、脱衣所２内の空気を吸込み口３１から吸込んで吹出し口３２から脱衣所２内に送風する循環ファン３３と、放熱器３４とを内蔵しており、放熱器３４と熱源機４に内蔵する暖房用熱交換器(図示せず)との間に循環路３５を介して温水を循環させ、温水の熱を放熱器３４で放熱して空気を加熱し、温風として吹出し口３２から脱衣所２内に送風するように構成されている。
【００１７】
脱衣所２の壁面には、脱衣所暖房器３に内蔵する暖房器用コントローラ３６にケーブル５ａを介して接続される脱衣所暖房器３用のリモコン５が設置されている。このリモコン５に設けた暖房スイッチ(図示せず)をオンすると、ケーブル５ａを介して暖房器用コントローラ３６に運転指令信号が送信される。すると、熱源機４に内蔵する熱源機用コントローラ４１に暖房器用コントローラ３６からケーブル３６ａを介して給湯指令信号が送信され、熱源機４の暖房運転が開始されて、暖房用熱交換器で加熱された温水が放熱器３４に供給される。そして、放熱器３４に供給される湯温が所定温度以上になったところで循環ファン３３が駆動され、脱衣所暖房器３の運転が開始される。また、暖房スイッチをオフすると、熱源機４の暖房運転が停止されて、放熱器３４への温水の供給が停止されると共に、循環ファン３３が停止され、脱衣所暖房器３は運転停止状態になる。
【００１８】
また、浴室１の壁面には、熱源機用コントローラ４１にケーブル６ａを介して接続される熱源機用リモコン６が設置されている。このリモコン６には、図２に示す如く、熱源機４を運転状態と運転停止状態とに切換えるための運転スイッチ６０と、浴槽１ａ内の湯水を追焚きするためのおいだきスイッチ６１と、浴槽１ａに設定湯量で自動湯張りするための自動スイッチ６２と、給湯温度に関する優先スイッチ６３と、浴室１以外の場所に設置した熱源機用リモコン(図示せず)との間のインターフォン機能を利用するための呼び出しスイッチ６４と、給湯温度等の各種設定項目の設定値を表示する表示部６５と、表示部６５に表示する設定項目を選択する選択スイッチ６６と、選択スイッチ６６で選択された設定項目の設定値を変更するアップダウンスイッチ６７とが設けられている。
【００１９】
また、この熱源機用リモコン６には、脱衣所暖房器３用の操作スイッチである脱衣所暖房スイッチ６８が設けられている。そして、脱衣所暖房スイッチ６８をオンしたとき、ケーブル６ａ―熱源機用コントローラ４１−ケーブル３６ａの経路で暖房器用コントローラ３６に運転指令信号が送信され、熱源機４の暖房用熱交換器から放熱器３４に温水が供給されると共に循環ファン３３が駆動されて、脱衣所暖房器３の運転が行われるようにしている。脱衣所暖房スイッチ６８の２回目の押し操作で該スイッチ６８がオフされると、放熱器３４への温水の供給が停止されると共に循環ファン３３が停止され、脱衣所暖房器３は運転停止状態になる。
【００２０】
ここで、脱衣所暖房器３には、循環ファン３３の吸込み側に位置させて、脱衣所２の室温を検出する脱衣所温度センサ７が設けられている。そして、脱衣所温度センサ７の検出信号は暖房器用コントローラ３６に入力され、通常は、脱衣所温度センサ７の検出温度が暖房器用リモコン５で設定される所定の設定温度になるように脱衣所暖房器３の運転(温調運転)が行われる。脱衣所温度センサ７の検出信号は、更に、暖房器用コントローラ３６からケーブル３６ａ―熱源機用コントローラ４１−ケーブル６ａの経路で熱源機用リモコン６に送信される。また、熱源機用リモコン６には、浴室１の室温を検出する浴室温度センサ８が内蔵されている。そして、選択スイッチ６７の操作により、脱衣所温度センサ７で検出された脱衣所２の室温ＴＤと浴室温度センサ８で検出された浴室１の室温ＴＹとの温度差ΔＴ(＝ＴＤ−ＴＹ)が熱源機用リモコン６の表示手段たる表示部６６に表示されるようにしている。図２は、表示部６６に温度差ΔＴが−８℃であると表示された状態を示している。尚、温度差ΔＴをそのまま数値で表示せずに、複数のランプを用いて温度差ΔＴを複数段階でレベル表示するようにしても良い。
【００２１】
このように脱衣所２の室温と浴室１の室温との温度差ΔＴを表示することにより、浴室１から出たときにヒートショックを生ずるような状態であるか否かを入浴者が浴室１内で判別できる。そして、熱源機用リモコン６に設けた脱衣所暖房スイッチ６８を表示された温度差ΔＴを参考にして操作することにより、脱衣所２を必要以上に暖房して、エネルギーの無駄を生じたり、暖房不足でヒートショックを生したりするような事態に陥ることを回避できる。
【００２２】
また、本実施形態では、上記温度差ΔＴに関する以下の報知条件が成立したとき、熱源機用リモコン６に内蔵する報知手段たるスピーカ６９によりその旨を報知し、入浴者の注意を引くことができるようにしている。報知条件は、浴室１から出たときにヒートショックを生じない温度差ΔＴの範囲の上限温度をＴｓ１(例えば、＋２℃)、この範囲の下限温度をＴｓ２(例えば、−２℃)として、Ｔｓ２≦ΔＴ≦Ｔｓ１という第１の条件と、ΔＴ＞Ｔｓ１という第２の条件と、ΔＴ＜Ｔｓ２という第３の条件のうちから脱衣所暖房器３の状態に応じて切換える。
【００２３】
その詳細は図３に示す通りであり、先ず、Ｓ１のステップにおいて選択スイッチ６６により温度差ΔＴを表示することが選択されたか否かを判別し、温度差ΔＴの表示が選択されたときに、Ｓ２のステップに進んで温度差ΔＴを表示する。次に、Ｓ３のステップで脱衣所暖房器３が運転中であるか否かを判別し、運転中であれば、Ｓ４のステップでＴｓ２≦ΔＴ≦Ｔｓ１であるか否か、即ち、第１の条件が成立しているか否かを判別する。そして、第１の条件が成立しているときには、Ｓ８のステップで脱衣所２の室温が適温である旨の報知(適温報知)を行って、Ｓ３のステップに戻る。また、第１の条件が成立していないときには、Ｓ５のステップでΔＴ＞Ｔｓ１であるか否か、即ち、第２の条件が成立しているか否かを判別する。そして、第２の条件が成立しているときには、Ｓ９のステップで脱衣所２の室温が高い旨の報知(高温報知)を行って、入浴者に脱衣所暖房器3の運転を停止することを促し、Ｓ３のステップに戻る。第１と第２の何れの条件も成立していないときは、そのままＳ３のステップに戻る。
【００２４】
脱衣所暖房器３が運転停止中であれば、Ｓ６のステップに進んで、第１の条件が成立しているか否かを判別し、第１の条件が成立しているときには、Ｓ８のステップに進んで適温報知を行った後、Ｓ３のステップに戻る。また、第１の条件が成立していないときは、Ｓ７のステップでΔＴ＜Ｔｓ２であるか否か、即ち、第３の条件が成立しているか否かを判別する。そして、第３の条件が成立しているときには、Ｓ１０のステップで脱衣所２の室温が低い旨の報知(低温報知)を行って、入浴者に脱衣所暖房器３の運転を開始することを促し、Ｓ３のステップに戻る。第１と第３の何れの条件も成立していないときは、そのままＳ３のステップに戻る。
【００２５】
尚、脱衣所暖房器３の運転中に温度差ΔＴがＴｓ１を境にして上下に変動したときに適温報知と高温報知とに頻繁に切換わることを防止すると共に、脱衣所暖房器３の運転停止中に温度差ΔＴがＴｓ２を境にして上下に変動したときに適温報知と低温報知とに頻繁に切換わることを防止するため、Ｓ４〜Ｓ７のステップでの判別値であるＴｓ１，Ｔｓ２にヒステリシスを付け、または、第１乃至第３の各条件が所定時間継続して成立したときにのみ対応する報知を行うことが望ましい。また、報知をいつまでも行うと、入浴者が煩わしく感ずるため、一定時間経過後に報知を停止するようにしても良い。更に、高温報知と低温報知については、脱衣所暖房スイッチ６８を操作したときに報知を停止することが望ましい。
【００２６】
また、上記実施形態では、脱衣所暖房器３の運転中に第１と第２の各条件が成立したときと、脱衣所暖房器３の運転停止中に第１と第３の各条件が成立したときとにその旨の報知を行っているが、脱衣所暖房器３の運転中は第１の条件と第２の条件との何れか一方の条件が成立したときにのみ報知し、脱衣所暖房器３の運転停止中は第１の条件と第３の条件との何れか一方の条件が成立したときにのみ報知することも可能である。また、操作は煩わしくなるが、熱源機用リモコン６に切換スイッチを設け、切換スイッチにより報知条件を第１乃至第３の条件のうちで任意に切換えられるようにしても良い。更に、上記実施形態では、報知をスピーカ６９により音声で行うようにしているが、温度差ΔＴの表示を通常とは異なる色にしたり点滅させる等の音声以外の手段で報知することも可能である。更に、温度差ΔＴを表示せずに、上記した適温報知、高温報知及び低温報知のみを行うようにすることも可能である。
【００２７】
以上、浴室１に設置する熱源機用リモコン６での温度差ΔＴの表示と報知とについて説明したが、介護が必要な者が入浴しているときには、介護者が浴室１以外の場所で脱衣所暖房器３を操作する必要を生ずることがある。そのため、浴室１以外の場所に設置する熱源機用リモコンにも、脱衣所暖房スイッチと温度差ΔＴの表示手段と上記した第１乃至第３の条件が成立したときの報知手段を設けることが望ましい。
【００２８】
また、浴室１から出たときに、脱衣所暖房器３からの送風量が大きくなっていると、体感温度が低下して、人に寒い思いをさせる虞がある。かかる不具合を防止するには、浴室ドアの開閉を検出するスイッチや人体センサ等で人が浴室から出たときにこれを検出できるようにし、浴室から人が出たときに、脱衣所暖房器３の循環ファン３３の回転数を一定時間低下させれば良い。
【００２９】
また、上記実施形態では、脱衣所暖房器３のみを設けているが、脱衣所暖房器３に加えて、熱源機４からの温水を利用して浴室１の暖房を行う浴室暖房器を設ける場合にも同様に本発明を適用できる。この場合、浴室１に設置する熱源機用リモコン６に脱衣所暖房スイッチ６８に加えて、浴室暖房器用の操作スイッチである浴室暖房スイッチを設けることが望ましい。尚、浴室暖房器に浴室１の室温を検出する浴室温度センサが付設されるため、熱源機用リモコン６に浴室温度センサを内蔵させる必要はない。
【００３０】
また、上記実施形態は、脱衣所暖房スイッチ６８をオンすると、該スイッチ６８をオフするまで脱衣所暖房器３が運転状態に維持されるようにしているが、脱衣所暖房スイッチ６８をオンしたときに、上記温度差ΔＴが所定範囲に収まるように、即ち、Ｔｓ２≦ΔＴ≦Ｔｓ１になるように脱衣所暖房器３を自動制御しても良い。図４はこのような制御の詳細を示しており、先ず、Ｓ１０１のステップで脱衣所暖房スイッチ６８がオンされているか否かを判別し、オンされているときは、Ｓ１０２のステップで温度差ΔＴを表示する。次に、Ｓ１０３のステップでΔＴ＜Ｔｓ２であるか否かを判別し、ΔＴ＜Ｔｓ２であればＳ１０５のステップに進み、熱源機用リモコン６から暖房器用コントローラ３６に運転指令信号を送信して、脱衣所暖房器３の運転を開始させた後、Ｓ１０１のステップに戻る。
【００３１】
ΔＴ≧Ｔｓ２であれば、Ｓ１０４のステップでΔＴ＞Ｔｓ１であるか否かを判別し、ΔＴ＞Ｔｓ１であればＳ１０６のステップに進み、熱源機用リモコン６から暖房器用コントローラ３６に停止指令信号を送信して、脱衣所暖房器３の運転を停止させた後、Ｓ１０１のステップに戻る。Ｔｓ２≦ＴＤ−ＴＹ≦Ｔｓ１であれば、そのままＳ１０１のステップに戻り、先にＳ１０５のステップで運転指令が出されていれば、脱衣所暖房器３は運転状態に維持され、また、先にＳ１０６のステップで停止指令が出されていれば、脱衣所暖房器３は運転停止状態に維持される。Ｓ１０１のステップで脱衣所暖房スイッチ６８がオフされていると判別されたときは、Ｓ１０６のステップに進み、停止指令が出されて、脱衣所暖房器３の運転が停止される。
【００３２】
以上の制御によれば、浴室１内で脱衣所暖房スイッチ６８をオンすると、脱衣所２の室温と浴室１の室温との温度差ΔＴが所定範囲に収まるように脱衣所暖房器３が制御されることになり、脱衣所２を必要以上に暖房することなく、浴室１から出たときのヒートショックを防止でき、省エネルギー化を図る上で非常に有利である。この場合、温度差ΔＴは必ずしも表示する必要はないが、入浴者に安心感を与えるには温度差ΔＴを表示した方が良い。尚、図４に示す制御では、脱衣所暖房スイッチ６８をオンしたときに温度差ΔＴが表示されるようにしているが、選択スイッチ６６の操作で温度差ΔＴを表示させるようにすることも可能である。
【図面の簡単な説明】
【００３３】
【図１】本発明システムの実施形態の全体構成を示す説明図。
【図２】実施形態の熱源機用リモコンの正面図。
【図３】実施形態の温度差表示及び報知を実行するための処理を示すフロー図。
【図４】他の実施形態の脱衣所暖房器の制御処理を示すフロー図。
【符号の説明】
【００３４】
１…浴室、２…脱衣所、３…脱衣所暖房器、４…熱源機、６…熱源機用リモコン、６５…表示部(表示手段)、６９…スピーカ(報知手段)、６８…脱衣所暖房スイッチ(脱衣所暖房器用の操作スイッチ)、７…脱衣所温度センサ、８…浴室温度センサ。
【図１】
2006275341.tif 000003
【図２】
2006275341.tif 000004
【図３】
2006275341.tif 000005
【図４】
2006275341.tif 000006